(57)【要約】      （修正有）【課題】ワイパーが固定座体の交換により、異なる形式のワイパーアームを取り付けて固定でき、ワイパーを異なる車種に適用可能にし、製造コストを抑えることができるワイパー装置を提供する。【解決手段】本ワイパー装置は主に軟質骨入りのワイパー本体１と複数の固定座体２を含み、そのうち、前記ワイパー本体の中央に位置決めブラケット１１が設置され、前記位置決めブラケットの下縁にフック部１１１が設けられ、ワイパー本体の弾性片１２に掛止するために用いられ、且つ前記位置決めブラケットに固定棒１１２が設置され、前記固定座体は異なる形式に設け、各固定座体の内縁に円形孔から延伸された２つの挟持片２１２を持つ嵌合部２１が設けられ、異なる固定座体の嵌合部を位置決めブラケットの固定棒に嵌合させて、異なる形式のワイパーアーム３を前記固定座体に取り付けて固定可能にし、ワイパーの適用範囲をより広くすることができる。【選択図】図１
0003163210.tif 000002
【実用新案登録請求の範囲】
【請求項１】
ワイパー装置であって、軟質骨入りのワイパー本体と第１固定座体、第２固定座体、第３固定座体、第４固定座体を含み、そのうち、前記ワイパー本体の中央に位置決めブラケットが設置され、前記位置決めブラケットの下縁部にフック部が設けられ、前記ワイパー本体の弾性片の通孔と側辺部に掛止するために用いられ、且つ前記位置決めブラケットの中央に固定棒が設置され、さらに前記位置決めブラケットに保護カバーが嵌着され、前記第１乃至第４固定座体は内縁の適切な位置に嵌合部が設けられ、前記嵌合部が円形孔と、前記円形孔から延伸された２つの挟持片を含み、前述の構成部材により、前記第１乃至第４固定座体が前記嵌合部を前記位置決めブラケットの固定棒に嵌合して固定され、前記第１乃至第４固定座体のいずれかを用いて異なる形式のワイパーアームを取り付けて固定できるよう構成したことを特徴とする、ワイパー装置。
【請求項２】
前記第１固定座体が概ね細長い形状を成し、その一端に弾性片が設けられ、ワイパーアームを取り付けて固定できることを特徴とする、請求項１に記載のワイパー装置。
【請求項３】
前記第１固定座体がさらにカバーを含み、ワイパーアームを前記第１固定座体に穿設した後、前記カバーを被着したことを特徴とする、請求項２に記載のワイパー装置。
【請求項４】
前記第２固定座体の前端が円弧状に設けられ、後端に対称の２つの細長体が設けられ、前記細長体の末端にフックが設けられ、前記フックが適切な弾性を備え、ワイパーアームを取り付けて固定できることを特徴とする、請求項１に記載のワイパー装置。
【請求項５】
前記第３固定座体の前端が円弧状に設けられ、側辺部に固定孔が設けられ、ワイパーアームを取り付けて固定できることを特徴とする、請求項１に記載のワイパー装置。
【請求項６】
前記第４固定座体の前端が円弧状に設けられ、後端に対称の空洞部が設けられて細長体が形成され、前記細長体の末端にフックが設けられ、前記フックが適切な弾性を備えており、ワイパーアームを取り付けて固定できることを特徴とする、請求項１に記載のワイパー装置。
【考案の詳細な説明】
【技術分野】
【０００１】
本考案はワイパー装置に関し、特に、異なる形式のワイパーアームを取り付けて固定でき、ワイパーを異なる車種に適用できるようにした、ワイパー装置に関する。
【背景技術】
【０００２】
一般の軟質骨入りのワイパーとワイパーアームの固定方式は、軟質骨入りのワイパーの中央部分で、位置決めブラケットを軟質骨入りのワイパーの弾性片に固定し、さらに前記位置決めブラケットに固定座体を設け、前記固定座体にワイパーアームを連結する。このような従来の固定座体は接続具を組み合わせなければならない構造であり、且つ特定の車種にのみ適用できるため、異なる車種には別途異なる固定座体が必要であり、車両の所有者がワイパーを取り付けるとき非常に面倒であるだけでなく、業者も製品が多様なため、取り付けにおいてもより時間がかかり、且つ在庫のコストも増加するため、理想的ではない。これに鑑みて、本考案の考案者は関連業務に従事した長年の経験に基づき研究と実験を重ね、ワイパーの改良構造を開発したものであり、ワイパーの使用をより便利にする。
【考案の概要】
【考案が解決しようとする課題】
【０００３】
本考案の主な目的は、ワイパーが固定座体の交換により、異なる形式のワイパーアームを取り付けて固定でき、ワイパーを異なる車種に適用可能にし、製造コストを抑えることができる、ワイパー装置を提供することにある。
【課題を解決するための手段】
【０００４】
前述のワイパー装置は、軟質骨入り型のワイパー本体及び複数の固定座体を含み、そのうち、前記ワイパー本体の中央に位置決めブラケットが設置され、前記位置決めブラケットの下縁部にフック部が設けられ、ワイパー本体の弾性片への掛止に用いられ、且つ前記位置決めブラケットに固定棒が設置され、前記固定座体は異なる形式に設けられ、各固定座体の内縁に円形孔から延伸された２つの挟持片を含む嵌合部がそれぞれ設けられ、異なる固定座体を嵌合部により位置決めブラケットの固定棒に嵌合させることができ、異なる形式のワイパーアームを前記固定座体に取り付けて固定し、ワイパーの適用範囲をより広くすることができる。
【図面の簡単な説明】
【０００５】
【図１】本考案の実施例１の立体分解図である。
【図２】本考案の実施例２の立体分解図である。
【図３】本考案の実施例３の立体分解図である。
【図４】本考案の実施例４の立体分解図である。
【図５】本考案の実施例１の固定座体立体図である。
【図６】本考案の実施例２の固定座体立体図である。
【図７】本考案の実施例３の固定座体立体図である。
【図８】本考案の実施例４の固定座体立体図である。
【図９】本考案の実施例５の立体分解図である。
【図１０】本考案のキャップの立体図である。
【考案を実施するための形態】
【実施例１】
【０００６】
図１と図５に本考案の実施例１の立体分解図と固定座体の立体図をそれぞれ示す。これらの図に示すように、本考案の実施例１は、軟質骨入りのワイパー本体１と第１固定座体２を含み、そのうち、前記ワイパー本体１の中央に位置決めブラケット１１が設置され、前記位置決めブラケット１１の下縁部にフック部１１１が設けられ、ワイパー本体１の弾性片１２の通孔１２１及び側辺部に掛止するために用いられ、且つ前記位置決めブラケット１１の中央に固定棒１１２が設置され、さらに前記位置決めブラケット１１に嵌着された保護カバー１３、ワイパー本体１の下方に挟んで設置されたブレード１４、ワイパー本体１の両端にそれぞれ嵌着されたキャップ１５が設置される。
【０００７】
前記第１固定座体２は概ね細長い形状を成し、内縁の適切な位置に嵌合部２１が設けられ、前記嵌合部２１は円形孔２１１と、円形孔２１１から延伸された２つの挟持片２１２を含み、一端に弾性片２２が設けられる。
【０００８】
前述の構成部材により、前記第１固定座体２の嵌合部２１を位置決めブラケット１１の固定棒１１２に嵌合して固定を構成し、ワイパーアーム３を前記第１固定座体２に穿設した後、カバー２３を被着する。 
【実施例２】
【０００９】
図２と図６に本考案の実施例２の立体分解図と固定座体の立体図をそれぞれ示す。これらの図に示すように、本考案の実施例２は、軟質骨入りのワイパー本体１と第２固定座体４を含み、そのうち、前記ワイパー本体１の中央に位置決めブラケット１１が設置され、前記位置決めブラケット１１の下縁部にフック部１１１が設けられ、ワイパー本体１の弾性片１２の通孔１２１及び側辺部に掛止するために用いられ、且つ前記位置決めブラケット１１の中央に固定棒１１２が設置され、さらに前記位置決めブラケット１１に嵌着された保護カバー１３と、ワイパー本体１の下方に挟んで設置されたブレード１４と、ワイパー本体１の両端にそれぞれ嵌着されたキャップ１５が設置される。
【００１０】
前記第２固定座体４は、概ね細長い形状を成し、その前端が円弧状に設けられ、後端に対称の２つの細長体４１が設けられ、細長体４１の末端にフック４１１が形成され、フック４１１は適切な弾性を備えている。その内縁の適切な位置に嵌合部４２が設けられ、前記嵌合部４２は円形孔４２１と、前記円形孔４２１から延伸された２つの挟持片４２２を含む。
【００１１】
前述の構成部材により、前記第２固定座体４の嵌合部４２を位置決めブラケット１１の固定棒１１２に嵌合して固定を構成し、ワイパーアーム５を前記第２固定座体４に被着して固定を構成する。
【実施例３】
【００１２】
図３と図７に本考案の実施例３の立体分解図と固定座体の立体図を示す。これらの図に示すように、本考案の実施例３は、軟質骨入りのワイパー本体１と第３固定座体６を含み、そのうち、前記ワイパー本体１の中央に位置決めブラケット１１が設置され、前記位置決めブラケット１１の下縁部にフック部１１１が設けられ、ワイパー本体１の弾性片１２の通孔１２１と側辺部に掛止するために用いられ、且つ前記位置決めブラケット１１の中央に固定棒１１２が設置され、さらに前記位置決めブラケット１１に嵌着された保護カバー１３、ワイパー本体１の下方に挟んで設置されたブレード１４、ワイパー本体１の両端にそれぞれ嵌着されたキャップ１５が設置される。
【００１３】
前記第３固定座体６は、その前端が円弧状に設けられ、側辺部に固定孔６１が形成される。その内縁の適切な位置に嵌合部６２が設けられ、前記嵌合部６２は円形孔６２１と、前記円形孔６２１から延伸された２つの挟持片６２２を含む。
【００１４】
前述の構成部材により、前記第３固定座体６の嵌合部６２を位置決めブラケット１１の固定棒１１２に嵌合させて固定を構成し、ワイパーアーム７を前記第３固定座体４に取り付けて固定を構成する。
【実施例４】
【００１５】
図４と図８に本考案の実施例４の立体分解図と固定座体の立体図をそれぞれ示す。これらの図に示すように、本考案の実施例４は軟質骨入りのワイパー本体１と第４固定座体８を含み、そのうち、前記ワイパー本体１の中央に位置決めブラケット１１が設置され、前記位置決めブラケット１１の下縁部にフック部１１１が設けられ、ワイパー本体１の弾性片１２の通孔１２１と側辺部に掛止するために用いられ、且つ前記位置決めブラケット１１の中央に固定棒１１２が設置され、さらに前記位置決めブラケット１１に嵌着された保護カバー１３、ワイパー本体１の下方に挟んで設置されたブレード１４、ワイパー本体１の両端にそれぞれ嵌着されたキャップ１５が設置される。
【００１６】
前記第４固定座体８は、その前端が円弧状に設けられ、後端に対称の空洞部８１が設けられ、細長体８２が形成され、細長体８２の末端にフック８２１が設けられ、フック８２１は適切な弾性を備えている。その内縁の適切な位置に嵌合部８３が設けられ、前記嵌合部８３は円形孔８３１と、前記円形孔８３１から延伸された２つの挟持片８３２を含む。
【００１７】
前述の構成部材により、前記第４固定座体８の嵌合部８３を位置決めブラケット１１の固定棒１１２に嵌合させて固定を構成し、ワイパーアーム９を前記第４固定座体８に被着して固定を構成する。
【実施例５】
【００１８】
図９に本考案の実施例５の立体分解図を示す。この図に示すように、本考案は位置決めブラケット１１に、嵌合部１０１を備えた係着部材１０を設置してもよく、嵌合部１０１を位置決めブラケット１１の固定棒１１２に嵌合させ、別の形態のフック式ワイパーアーム１０２を前記係着部材１０に掛着させることができる。
【００１９】
図１０に本考案のキャップの立体図を示す。この図に示すように、本考案の各実施例でワイパー本体１の両端に設置されるキャップ１５は、ブレード導入口１５１がそれぞれ設けられており、迅速にブレード１４を交換でき、ブレード１４が使用できなくなったとき、ワイパー全体を廃棄する必要がなく、環境保護の効果を達することができる。
【００２０】
前述の実施例は本考案の最良の実施方式を説明したのみであり、本考案の範囲を限定することはなく、若干の修飾や変更は本考案の要旨を逸脱せず、本考案の要旨の範囲に含まれる。
【００２１】
上述をまとめると、本考案は位置決めブラケットを設けたワイパー本体に、異なる形式の固定座体を組み合わせ、ワイパーを固定座体の交換によって異なる形式のワイパーアームに取り付けて固定でき、ワイパーを異なる車種に適用可能にし、製造コストを抑えることができる。実用的な設計であり、新規性を備えているため、法に基づき実用新案登録を出願するものである。
【符号の説明】
【００２２】
１        ワイパー本体
１１      位置決めブラケット
１１１    フック部            
１１２    固定棒
１２      弾性片
１２１    通孔
１３      保護カバー  
１４      ブレード
１５      キャップ
１５１    ブレード導入口
２        第１固定座体
２１      嵌合部  
２１１    円形孔
２１２    挟持片
２２      弾性片
２３      カバー
３        ワイパーアーム
４        第２固定座体
４１      細長体
４１１    フック
４２      嵌合部
４２１    円形孔
４２２    挟持片
５        ワイパーアーム  
６        第３固定座体
６１      固定孔
６２      嵌合部
６２１    円形孔
６２２    挟持片
７        ワイパーアーム
８        第４固定座体
８１      空洞部
８２      細長体
８２１    フック
８３      嵌合部
８３１    円形孔
８３２    挟持片
１０      係着部材
１０１    嵌合部
１０２    フック式ワイパーアーム
【図１】
0003163210.tif 000003
【図２】
0003163210.tif 000004
【図３】
0003163210.tif 000005
【図４】
0003163210.tif 000006
【図５】
0003163210.tif 000007
【図６】
0003163210.tif 000008
【図７】
0003163210.tif 000009
【図８】
0003163210.tif 000010
【図９】
0003163210.tif 000011
【図１０】
0003163210.tif 000012
【手続補正書】
【提出日】平成22年8月3日(2010.8.3)
【手続補正１】
【補正対象書類名】実用新案登録請求の範囲
【補正対象項目名】全文
【補正方法】変更
【補正の内容】
【実用新案登録請求の範囲】
【請求項１】
長尺の弾性片１２の長手面下側に長尺のブレード１４を配し、長手面上側の中央部に位置決めブラケット１１を配設する通孔１２１を穿設して成り、該長尺の弾性片の両端にはそれぞれキャップ１５を嵌着して成るワイパー本体１として、
該ワイパー本体１の前記弾性片１２の前記通孔１２１を穿設した箇所に、通孔１２１を対向壁に穿設して成り、且つ該対向壁の両脇にフック部１１１を設けて成る位置決めブラケット１１を固定し、
該位置決めブラケット１１には、該位置決めブラケット１１の対向壁に穿設した通孔１２１の穿設部分をのぞかせる切欠部を形成した保護カバー１３を該保護カバー１３の切欠部からのぞかせて被せ、
該保護カバー１３の切欠部からのぞかせた位置決めブラケット１１の前記対向壁間に、胴体に円形孔２１１と挟持片２１２とから成る嵌合部２１を形成し、且つ、末端をワイパーアームを連結する連結部を備えて成る固定座体２の嵌合部２１を配置し、
該位置決めブラケット１１の対向壁間に配設した該固定座体２の嵌合部２１に前記対向壁間を貫通させる固定棒１１２を挿通して、該位置決めブラケット１１に前記固定棒１１２を支軸として該固定座体２を回動自在に配して成る構成としたことを特徴とするワイパー装置。
【請求項２】
前記した固定座体を第１固定座体２の構成として、断面を概ね逆Ｕ字状の細長体として形成し、その細長体の側面に円形孔２１１、挟持片２１２から成る嵌合部を形成し、末端に弾性片２２が延長され、その弾性片２２にワイパーアーム３を取り付けて固定できるようにしたことを特徴とする請求項１に記載のワイパー装置。
【請求項３】
前記第１固定座体がさらにカバー２３を含み、ワイパーアーム３を前記第１固定座体に連設した後、前記カバー２３を被着したことを特徴とする請求項２に記載のワイパー装置。
【請求項４】
前記した固定座体を第２固定座体４の構成として前端が円弧状に設けられ、前記固定座体の胴体には円形孔４２１、挟持片４２２から成る嵌合部４２を設けるとともに後端に対称の２つの細長体４１が設けられ、前記細長体４１の末端をワイパーアーム５を取り付けて固定できることを特徴とする請求項１に記載のワイパー装置。
【請求項５】
前記した固定座体６を第３固定座体の構成として前端が円弧状に設けられ、前記固定座体の胴体には円形孔６２１、挟持片６２２から成る嵌合部６２を設けるとともに側辺部に固定孔６１が設けられ、該固定孔にワイパーアーム７を取り付けて固定できるようにしたことを特徴とする請求項１に記載のワイパー装置。
【請求項６】
前記した固定座体を第４固定座体８の構成として前端が円弧状に設けられ、前記固定座体の胴体には円形孔８３１、挟持片８３２から成る嵌合部８３を設けるとともに後端に対称の空洞部８１が設けられて細長体８２が形成され、前記細長体８２の末端に弾性材から成るフック８２１が設けられ、前記弾性材から成るフック８１にワイパーアームを取り付けて固定できるようにしたことを特徴とする請求項１に記載のワイパー装置。